(57)【要約】【課題】下面に電気機器箱等のかご床下設置機器を設置したかごを有する形態であって、乗場出入口床面と停止したかごとの空所から作業員が昇降路内に容易に出入りできるエレベーター装置を得る。【解決手段】かご床下設置機器２９をかご１の床下に装着し、昇降路１内に設けた巻上機及び制御盤を介してかご２を運転する。また、かご２における昇降路１の乗場寄り所定位置にかご床下設置機器２９を定置し、かつ人為操作によりかご床下設置機器２９を移動自在に装着する装着手段３４を設ける。これにより、故障発生時等に装着手段３４によりかご床下設置機器２９を移動してかご２の床５と最下階の乗場出入口床面との間の空所から作業員が昇降路内に容易に出入りでき、故障対策等の作業能率を向上する。【選択図】　　　　図１
2004099183.tif 000002
【特許請求の範囲】
【請求項１】
昇降路内に設けられた巻上機及び制御盤を介して運転されて上記昇降路を昇降するかごと、このかごの床下に装着されて、上記昇降路に設けられた乗場寄りの所定位置に配置されたかご床下設置機器と、上記かごに設けられて上記かご床下設置機器を上記所定位置に定置し、かつ人為操作を介して上記かご床下設置機器を上記所定位置から移動自在に装着する装着手段とを備えたエレベーター装置。
【請求項２】
締結具によってかご側の部材に締結されて所定位置に配置され、昇降路に設けられた乗場からの作業によって上記かごにおける所定位置から移動自在に装備されたエプロンを備えたことを特徴とする請求項１記載のエレベーター装置。
【請求項３】
エプロンを、かご側に設けられたレールに摺動自在に掛合されて、昇降路に設けられた乗場からの作業によって要時に所定位置から移動自在に装備された可動エプロンからなるものとしたことを特徴とする請求項２記載のエレベーター装置。
【請求項４】
装着手段を、かごに設けられてかご床下設置機器を所定位置に定置し、かつ人為操作を介し回動動作して上記かご床下設置機器を、上記所定位置から移動自在に装着するものとしたことを特徴とする請求項１記載のエレベーター装置。
【請求項５】
装着手段を、かごに設けられてかご床下設置機器を所定位置に定置し、かつ人為操作を介し摺動動作して上記かご床下設置機器を、上記所定位置から移動自在に装着するものとしたことを特徴とする請求項１記載のエレベーター装置。
【発明の詳細な説明】
【０００１】
【発明の属する技術分野】
この発明は、昇降路内に設置された巻上機及び制御盤を介して運転されて昇降路を昇降するかごを装備したエレベーター装置に関する。
【０００２】
【従来の技術】
図１５は、従来のエレベーター装置を示す図で、エレベーターのかごの要部斜視図である。図において、１はエレベーターの昇降路で、図示が省略してあるが昇降路内下部に巻上機、制御盤、そらせ車等の運転用機器が設置されている。２はかごで、かご枠３、かご枠３内下部に設けられた支持枠４、支持枠４に支持された床５、床５から立設されたかご室６、かご室６の一側に設けられて昇降路１の乗場（図示しない）の出入口に対応した出入口７が設けられている。
【０００３】
また、かご２には床５の前梁８の上に設けられて出入口７の下縁部を形成した敷居９、一端が前梁８に装着されて下垂して配置されたエプロン１０、一端がエプロン１０の下縁部寄りに装着され他端は床５の前後方向における中間に装着された支え腕１１が設けられる。そして、かご２は前述の運転用機器によって駆動されて昇降路１を昇降する。１２は移動ケーブルで、昇降路１の固定部とかご２の間に吊設される。
【０００４】
従来のエレベーター装置は上記のように構成され、昇降路１内下部に巻上機、制御盤、そらせ車等の運転用機器が設置されて所謂、機械室レスエレベーターが形成されている。そして、運転用機器によってかご２が駆動されて昇降路１を昇降運転される。
【０００５】
【発明が解決しようとする課題】
上記のような従来のエレベーター装置において、機械室レスエレベーターであることによって、かご２が最上階の乗場に停止したときの昇降路１頂部における昇降路１等の構造体（図示しない）の背丈を低くすることができる。しかし、図示が省略してあるが、かご２上面にはかご内照明器具、換気扇等の機器が設置されているため、移動ケーブル１２が接続される電気機器箱の設置スペースが得られない。
【０００６】
また、昇降路１におけるかご２の側面側には図示が省略してあるが、巻上機、制御盤、そらせ車等が配置されているので、かご２側面にも電気機器箱を設置することは不可能に近い。このため、かご２において電気機器箱の設置可能なスペースはかご２の下面のエプロン１０裏面側のみとなる。
【０００７】
しかし、機械室レスエレベーターにおいて昇降路１内下部に巻上機等が設置してあるので、故障時にかご２の床４と最下階の乗場出入口床面との間に空所ができる位置にかご２を停止して、この空所から作業員が昇降路１に入る場合に、かご２の下面に電気機器箱等のかご床下設置機器が設置されていることにより、作業員が昇降路１に出入りできなくなるという問題点があった。
【０００８】
この発明は、かかる問題点を解消するためになされたものであり、下面に電気機器箱等のかご床下設置機器が設置された形態のかごであって、乗場出入口床面と停止したかごとの空所から作業員が昇降路内に出入りできるエレベーター装置を得ることを目的とする。
【０００９】
【課題を解決するための手段】
この発明に係るエレベーター装置においては、昇降路内に設けられた巻上機及び制御盤を介して運転されて昇降路を昇降するかごと、このかごの床下に装着されて、昇降路に設けられた乗場寄りの所定位置に配置されたかご床下設置機器と、かごに設けられてかご床下設置機器を所定位置に定置し、かつ人為操作を介してかご床下設置機器を、所定位置から移動自在に装着する装着手段とが設けられる。
【００１０】
また、この発明に係るエレベーター装置においては、締結具によってかご側の部材に締結されて所定位置に配置され、昇降路に設けられた乗場からの作業によってかごにおける所定位置から移動自在に装備されたエプロンが設けられる。
【００１１】
また、この発明に係るエレベーター装置においては、かご側に設けられたレールに摺動自在に掛合され、昇降路に設けられた乗場からの作業により要時に所定位置から移動自在に装備された可動エプロンからなるエプロンが設けられる。
【００１２】
また、この発明に係るエレベーター装置においては、かごに設けられてかご床下設置機器を所定位置に定置し、かつ人為操作を介して回動動作してかご床下設置機器を所定位置から移動自在に装着する装着手段が設けられる。
【００１３】
また、この発明に係るエレベーター装置においては、かごに設けられてかご床下設置機器を所定位置に定置し、かつ人為操作を介して摺動動作してかご床下設置機器を所定位置から移動自在に装着する装着手段が設けられる。
【００１４】
【発明の実施の形態】
実施の形態１．
図１〜図３は、この発明の実施の形態の一例を示す図で、図１はエレベーターのかごの床下における機器の配置を示す図であり前述の図１５の要部に相当する側面図、図２は図１の要部斜視図、図３は図１のかご床下設置機器の移動状況を説明する図１の左側面図である。図において、１はエレベーターの昇降路で、図示が省略してあるが昇降路内下部に巻上機、制御盤、そらせ車等の運転用機器が設置されている。
【００１５】
２はかごで、前述のかご２と同様にかご枠３、かご枠３内下部に設けられた支持枠４、支持枠４に支持された床５、床５から立設されたかご室６、かご室６の一側に設けられて昇降路１の乗場（図示しない）の出入口に対応した出入口７、かご２には床５の前梁８の上に設けられて出入口７の下縁部を形成した敷居９、一端が前梁８に装着されて下垂して配置されたエプロン１３、一端がエプロン１３の下縁部寄りに装着され他端は床５の前後方向における中間に装着された支え腕１４が設けられる。
【００１６】
なお、エプロン１３は上縁部が屈折されて掛合部１５が設けられて前梁８の上面に掛合される。１６はエプロン１３の上縁部を前梁８に締結した取付ねじからなる締結具、１７は取付ボルトからなる締結具で、支え腕１４の長穴に挿通されて、エプロン１３の裏面に設けられた取付金具１８にねじ込まれている。１９は角パイプからなる支持材で、かご２の下面、すなわち支持枠４の下側に固定されて長手がかご２の間口方向に配置されている。
【００１７】
２０は第一締結金具で、Ｌ字状をなし屈折部が支持材１９の上面に掛合されている。２１は第二締結金具で、Ｗ字状をなし中間の屈折部が支持材１９の下面に掛合され、屈折部の自由端がさらに屈折されてなる縁部に第一締結金具２０と対面した締結面２２が形成されている。２３は第一締結金具２０に挿通されて第二締結金具２１の締結面２２にねじ込まれたボルトからなる締結具である。
【００１８】
２４はＬ字状をなす支持金具で、上側の一辺が第一締結金具２０の下縁部に重合されて締結具２３によって第一締結金具２０と共に第二締結金具２１に共締めされ、また下側の一辺は水平に配置されて支持部２５が形成されている。２６はＬ字状をなし防滴カバー兼用の装着金具で、上側の一辺が支持金具２４の支持部２５の上面に重合されて取付ボルトからなる締結具２７によって締結され、他辺は下垂して取付面２８が形成されている。
【００１９】
２９は電気機器箱からなるかご床下設置機器で、装着金具２６の取付面２８の反エプロン１３側に取付ねじ３０によって装着されている。３１は移動ケーブルで、昇降路１の固定部とかご２の間に吊設され、かご床下設置機器２９側が移動ケーブルガイド３２によって保持され、かご２側は移動ケーブルクリップ３３によって支持枠４に固定的に保持されている。
【００２０】
また、３４は第一装着手段で、第一締結金具２０、第二締結金具２１及び締結具２３からなり、支持材１９を挟圧してかご床下設置機器２９を所定位置に定置し、かつ人為操作により締結具２３を弛緩してかご床下設置機器２９を所定位置から図３に示す支持材１９の長手に沿う矢印Ａ方向へ摺動して移動することができる。
【００２１】
また、３５は第二装着手段で、支持金具２４及び締結具２３からなりかご床下設置機器２９を所定位置に定置し、かつ人為操作によりかご２の間口方向における一側の締結具２３を撤去してかご床下設置機器２９を所定位置から図３に示す矢印Ｂ方向へ回動して移動することができる。
【００２２】
上記のように構成されたエレベーター装置において、昇降路１内下部に巻上機、制御盤、そらせ車等の運転用機器が設置されて所謂、機械室レスエレベーターが形成されている。そして、運転用機器によってかご２が駆動されて昇降路１を昇降運転される。上記のような機械室レスエレベーターであることによって、前述の図１５のエレベーター装置と同様にかご２が最上階の乗場に停止したときの昇降路１頂部における昇降路１等の構造体（図示しない）の背丈を低くすることができる。
【００２３】
しかし、図示が省略してあるがかご２上面にはかご内照明器具、換気扇等の機器が設置されているため、移動ケーブル１２が接続される電気機器箱等のかご床下設置機器２９の設置スペースが得られない。また、昇降路１におけるかご２の側面側には巻上機、制御盤、そらせ車等が配置されているので、かご２側面にもかご床下設置機器２９を設置することは不可能に近い。このため、かご２において電気機器箱の設置可能なスペースはかご２の下面のエプロン１０裏面側のみとなる。
【００２４】
このようなかご２における機器の配置状況に対し図１〜図３の実施の形態においてはかご２の下面に支持材１９が設けられる。そして、支持材１９に第一装着手段３４が配置され、第一装着手段３４に第二装着手段３５が連結される。この第一装着手段３４及び第二装着手段３５介してかご２にかご床下設置機器２９が装着されて、エプロン１３の裏面側の所定位置に配置される。
【００２５】
そして、機械室レスエレベーターにおいて昇降路１内下部に巻上機等が設置してあるので、故障時、保守時等にかご２の床４と最下階の乗場出入口床面との間に空所ができる位置にかご２を停止して、この空所から作業員が昇降路１に入る場合に、先ず昇降路１に設けられた乗場からの作業によって、締結具１６が取り外されてエプロン１３の掛合部１５が前梁８との掛合が解除される。これと共に、締結具１７が取り外されてエプロン１３と支え腕１４の締結が解除され、エプロン１３がかご２の所定位置から移動されて撤去される。
【００２６】
次いで、人為操作により第一装着手段３４の締結具２３を弛緩して、かご床下設置機器２９を所定位置から図３に示す矢印Ａ方向へ摺動して移動するか、又は人為操作により第二装着手段３５のかご２の間口方向における一側の締結具２３を撤去してかご床下設置機器２９が所定位置から図３に示す矢印Ｂ方向へ回動して移動される。このようにしてかご２の下面に設置されたかご床下設置機器２９が所定位置から移動される。
【００２７】
したがって、下面にかご床下設置機器２９が設置された形態のかご２であっても、乗場出入口床面と停止したかご２との空所から作業員が昇降路１内に容易に出入りすることができる。このため、故障時等にかご２の床４と最下階の乗場出入口床面との間に空所ができる位置にかご２を停止し、この空所から作業員が昇降路１に入って所要の故障対策作業を迅速に行うことができ、作業能率を向上することができ、また故障対策が迅速に実施できるので故障による二次的な不具合の発生を未然に防ぐことができる。
【００２８】
なお、かご床下設置機器２９が所定位置に配置された状態において移動ケーブル３１が余裕を持たせて吊設され、また移動ケーブル３１が移動ケーブルガイド３２によって摺動自在に保持されている。このため、かご２の下面に設置されたかご床下設置機器２９を所定位置から支障なく移動することができる。
【００２９】
実施の形態２．
図４及び図５は、この発明の他の実施の形態の一例を示す図で、図４は前述の図２におけるエプロン箇所に相当する図、図５は図４の平面図である。なお、図４及び図５の他は前述の図１〜図３の実施の形態と同様にエレベーター装置が構成されている。図において、図１〜図３と同符号は相当部分を示す。
【００３０】
３６はエプロン取付腕で、Ｌ字状をなしＬ字の一辺３７は水平に配置されてボルトからなる取付具３８によってかご２の下面に締結されて鉛直軸線を介して回動自在に装着され、Ｌ字の他辺３９は鉛直に配置されてエプロン１３の裏面と対面する。４０はエプロン１３に挿通されてエプロン取付腕３６の他辺３９にねじ込まれた取付ねじからなる締結具、４１はエプロン１３に設けられた貫通孔からなる把手である。
【００３１】
上記のように構成されたエレベーター装置においても、人為操作によりエプロン１３を取り外して第一装着手段３４によりかご床下設置機器２９を摺動するか、又は第二装着手段３５によりかご床下設置機器２９を回動して所定位置から移動することができる。そして、乗場出入口床面と停止したかご２との空所から作業員が昇降路１内に容易に出入りすることができる。したがって、詳細な説明を省略するが図４及び図５の実施の形態においても図１〜図３の実施の形態と同様な作用が得られる。
【００３２】
また、図４及び図５の実施の形態において、エプロン１３を取り外した状態でエプロン取付腕３６の一辺３７を図５に示す矢印Ｃ方向へ回動する。これによって、作業員が昇降路１に出入りするときの通路を広くすることができ、作業員が昇降路１に対する出入を一層容易化でき作業能率を向上することができる。
【００３３】
実施の形態３．
図６〜図８も、この発明の他の実施の形態の一例を示す図で、図６は前述の図２に相当する図、図７は図６のＤ−Ｄ線断面図、図８は図６におけるエプロンの移動状況を示す図である。なお、図６〜図８の他は前述の図１〜図３の実施の形態と同様にエレベーター装置が構成されている。図において、図１〜図３と同符号は相当部分を示す。
【００３４】
４２は前板で、前梁８の前面に取付ねじからなる締結具４３によって締結され下縁部が上向きに屈折されてレール部４４が設けられている。４５は前梁８の下面に長手に沿って設けられた取付金具、４６は固定エプロンで、上縁部が取付ねじからなる締結具４７によって取付金具４５に締結され、下縁部寄りが支え腕１４の下端に締結されてかご２の間口方向の一側に配置されている。
【００３５】
４８は固定エプロン４６の下縁部が屈折されて形成された案内溝、４９はかご２の間口方向の他側に配置された可動エプロンで、上縁部が横断面において屈曲されてなる屈曲部５０が設けられて前板４２のレール部４４に摺動自在に掛合され、下端部は固定エプロン４６の案内溝４８に摺動自在に嵌合されて、下縁部寄りが支え腕１４の下端部に締結具１７によって締結され、また取付ねじからなる締結具５１によって固定エプロン４６に締結されている。
【００３６】
上記のように構成されたエレベーター装置においても、詳細は後述するが人為操作により可動エプロン４９を移動して第一装着手段３４によりかご床下設置機器２９を摺動するか、又は第二装着手段３５によりかご床下設置機器２９を回動して所定位置から移動することができる。そして、乗場出入口床面と停止したかご２との空所から作業員が昇降路１内に容易に出入りすることができる。したがって、詳細な説明を省略するが図６〜図８の実施の形態においても図１〜図３の実施の形態と同様な作用が得られる。
【００３７】
また、図６〜図８の実施の形態において次に述べるようにして可動エプロン４９が移動される。すなわち、締結具１７を外して支え腕１４との締結が、また締結具５１を外して固定エプロン４６との締結が解除される。次いで、可動エプロン４９を図８に示す矢印Ｅ方向へ押し開くと、可動エプロン４９は上縁部がレール部４４に、また下縁部が案内溝４８に案内されて摺動して図８に示す状態となる。
【００３８】
このため、作業員が昇降路１に出入りするときに簡易な操作によって、可動エプロン４９を移動することができて出入り通路を設けることができる。したがって、作業員が昇降路１に対する出入りを一層容易化でき作業能率を向上し、緊急作業を要する場合に迅速に対応することができる。
【００３９】
実施の形態４．
図９〜図１１も、この発明の他の実施の形態の一例を示す図で、図９は前述の図２に相当する図、図１０は図９の平面図、図１１は図９におけるエプロンの移動状況を示す図である。なお、図９〜図１１の他は前述の図１〜図３の実施の形態と同様にエレベーター装置が構成されている。図において、図１〜図３と同符号は相当部分を示す。５２はエプロン取付腕で、Ｌ字状をなしＬ字の一辺５３は水平に配置されてかご２の下面に締結され、Ｌ字の他辺５４は鉛直に配置されている。
【００４０】
５５は案内レールで、エプロン取付腕５２の他辺５４に沿って配置されて取付ねじからなる締結具５６によってエプロン取付腕５２の他辺５４に締結され、かご２の間口方向に互いに離れて配置されて、互いに対向する面に案内溝が設けられている。５７は可動エプロンで、間口方向の両縁部がそれぞれ案内レール５５の案内溝に摺動自在に嵌合され、取付ねじからなる締結具５８によって敷居９及び案内レール５５に締結され、また下縁部に貫通孔からなる把手５９が設けられている。
【００４１】
上記のように構成されたエレベーター装置においても、詳細は後述するが人為操作により可動エプロン５７を移動して第一装着手段３４によりかご床下設置機器２９を摺動するか、又は第二装着手段３５によりかご床下設置機器２９を回動して所定位置から移動することができる。そして、乗場出入口床面と停止したかご２との空所から作業員が昇降路１内に容易に出入りすることができる。したがって、詳細な説明を省略するが図９〜図１１の実施の形態においても図１〜図３の実施の形態と同様な作用が得られる。
【００４２】
また、図９〜図１１の実施の形態において次に述べるようにして可動エプロン５７が移動される。すなわち、締結具５８を外して敷居９及び案内レール５５との締結が解除される。次いで、可動エプロン５７を図１１に示す矢印Ｆ方向へ押し上げると可動エプロン５７は案内レール５５に案内されて摺動して上昇し図１１に示す状態となる。したがって、詳細な説明を省略するが図９〜図１１の実施の形態においても前述の図６〜図８の実施の形態と同様な作用が得られる。
【００４３】
実施の形態５．
図１２及び図１３も、この発明の他の実施の形態の一例を示す図で、図１２は前述の図１相当図、図１３は図１２の要部斜視図である。なお、図１２及び図１３の他は前述の図１〜図３の実施の形態と同様にエレベーター装置が構成されている。図において、図１〜図３と同符号は相当部分を示し、６０はリップ付き溝形鋼からなる支持材で、かご２の下面、すなわち支持枠４の下側に固定されて長手がかご２の間口方向に配置され、かつ溝形の開口部がエプロン１３側に配置されている。
【００４４】
６１は第一装着手段で、Ｚ字状をなしＺ字の一辺６２が支持材６０の開口部に重合して配置されＺ字の他辺６３は支持材６０の下方に鉛直に配置された第一締結金具６４、支持材６０の溝形内に配置され溝形の開口部に重合して第一締結金具６４の一辺６２とによって支持材６０のリップを挟圧する第二締結金具６５及び第一締結金具６４に挿通されて第二締結金具６５にねじ込まれたボルトからなる締結具６６によって構成され、支持材６０を挟圧してかご床下設置機器２９を所定位置に定置し、かつ人為操作により締結具６６を弛緩してかご床下設置機器２９を所定位置から前述の図３に示す支持材６０の長手に沿う矢印Ａ方向へ摺動して移動することができる。
【００４５】
上記のように構成されたエレベーター装置においても、人為操作によりエプロン１３を取り外して第一装着手段６１によりかご床下設置機器２９を摺動するか、又は第二装着手段３５によりかご床下設置機器２９を回動して所定位置から移動することができる。そして、乗場出入口床面と停止したかご２との空所から作業員が昇降路１内に容易に出入りすることができる。したがって、詳細な説明を省略するが図１２及び図１３の実施の形態においても図１〜図３の実施の形態と同様な作用が得られる。
【００４６】
実施の形態６．
図１４も、この発明の他の実施の形態の一例を示す図で、前述の図３の平面図に相当する図である。なお、図１４の他は前述の図１〜図３の実施の形態と同様にエレベーター装置が構成されている。図において、図１〜図３と同符号は相当部分を示し、６７は第三装着手段で、支持金具２４の支持部２５及び装着金具２６の上側の一辺を支持部２５に締結した締結具２７によって構成されている。
【００４７】
上記のように構成されたエレベーター装置においても、人為操作によりエプロン１３を取り外して第三装着手段６７のかご２の間口方向における一側の締結具２７を外す。そして、かご床下設置機器２９を図１４に示す矢印Ｇ方向に回動して所定位置から移動することができる。そして、乗場出入口床面と停止したかご２との空所から作業員が昇降路１内に容易に出入りすることができる。したがって、詳細な説明を省略するが図１４の実施の形態においても図１〜図３の実施の形態と同様な作用が得られる。
【００４８】
【発明の効果】
この発明は以上説明したように、昇降路内に設けられた巻上機及び制御盤を介して運転されて昇降路を昇降するかごと、このかごの床下に装着されて、昇降路に設けられた乗場寄りの所定位置に配置されたかご床下設置機器と、かごに設けられてかご床下設置機器を所定位置に定置し、かつ人為操作を介してかご床下設置機器を所定位置から移動自在に装着する装着手段とを設けたものである。
【００４９】
これによって、装着手段によりかご床下設置機器を所定位置から移動することにより、かごの床と最下階の乗場出入口床面との間の空所から作業員が昇降路内に容易に出入りすることができる。したがって、下面にかご床下設置機器が設置された形態のかごであっても、故障時、保守時等にかごの床と乗場出入口床面との間の空所から作業員が昇降路内に出入りして、所要の故障対策作業等を迅速に行うことができて作業能率を向上することができ、また故障対策が迅速に実施できるので故障による二次的な不具合の発生を未然に防止する効果がある。
【００５０】
また、この発明は以上説明したように、締結具によってかご側の部材に締結されて所定位置に配置され、昇降路に設けられた乗場からの作業によってかごにおける所定位置から移動自在に装備されたエプロンを設けたものである。
【００５１】
これによって、故障発生時等において、昇降路に設けられた乗場からの作業によってエプロンがかごの所定位置から移動される。そして、装着手段によりかご床下設置機器を所定位置から移動することにより、かごの床と最下階の乗場出入口床面との間の空所から作業員が昇降路内に容易に出入りすることができる。したがって、所要の故障対策作業等を迅速に行うことができて作業能率を向上することができ、また故障対策が迅速に実施できるので故障による二次的な不具合の発生を未然に防止する効果がある。
【００５２】
また、この発明は以上説明したように、かご側に設けられたレールに摺動自在に掛合され、昇降路に設けられた乗場からの作業により要時に所定位置から移動自在に装備された可動エプロンからなるエプロンを設けたものである。
【００５３】
これによって、故障発生時等において、昇降路に設けられた乗場からの作業によって可動エプロンがレールを摺動し、かごにおける所定位置から移動される。そして、装着手段によりかご床下設置機器を所定位置から移動することにより、かごの床と最下階の乗場出入口床面との間の空所から作業員が昇降路内に容易に出入りすることができる。したがって、所要の故障対策作業等を迅速に行うことができて作業能率を向上することができ、また故障対策が迅速に実施できるので故障による二次的な不具合の発生を未然に防止する効果がある。
【００５４】
また、この発明は以上説明したように、かごに設けられてかご床下設置機器を所定位置に定置し、かつ人為操作を介して回動動作してかご床下設置機器を所定位置から移動自在に装着する装着手段を設けたものである。
【００５５】
これによって、装着手段の回動動作によってかご床下設置機器を所定位置から移動することにより、かごの床と最下階の乗場出入口床面との間の空所から作業員が昇降路内に容易に出入りすることができる。したがって、下面にかご床下設置機器が設置された形態のかごであっても、故障発生時等にかごの床と乗場出入口床面との間の空所から作業員が昇降路内に出入りし、所要の故障対策作業等を迅速に行うことができて作業能率を向上することができる。また、故障対策が迅速に実施できるので故障による二次的な不具合の発生を未然に防止する効果がある。
【００５６】
また、この発明は以上説明したように、かごに設けられてかご床下設置機器を所定位置に定置し、かつ人為操作を介して摺動動作してかご床下設置機器を所定位置から移動自在に装着する装着手段を設けたものである。
【００５７】
これによって、装着手段の摺動動作によってかご床下設置機器を所定位置から移動することにより、かごの床と最下階の乗場出入口床面との間の空所から作業員が昇降路内に容易に出入りすることができる。したがって、下面にかご床下設置機器が設置された形態のかごであっても、故障発生時等にかごの床と乗場出入口床面との間の空所から作業員が昇降路内に出入りして、所要の故障対策作業等を迅速に行うことができて作業能率を向上することができる。また、故障対策が迅速に実施できるので故障による二次的な不具合の発生を未然に防止する効果がある。
【図面の簡単な説明】
【図１】この発明の実施の形態１を示す図で、エレベーターのかごの床下における機器の配置を示す図であり後述する図１５の要部に相当する側面図。
【図２】図１の要部斜視図。
【図３】図１のかご床下設置機器の移動状況を説明する図で、図１の左側面図。
【図４】この発明の実施の形態２を示す図で、前述の図２におけるエプロン箇所に相当する図。
【図５】図４の平面図。
【図６】この発明の実施の形態３を示す図で、前述の図２相当図。
【図７】図６のＤ−Ｄ線断面図。
【図８】図６におけるエプロンの移動状況を示す図。
【図９】この発明の実施の形態４を示す図で、前述の図２相当図。
【図１０】図９の平面図。
【図１１】図９におけるエプロンの移動状況を示す図。
【図１２】この発明の実施の形態５を示す図で、前述の図１相当図。
【図１３】図１２の要部斜視図。
【図１４】この発明の実施の形態６を示す図で、前述の図３の平面図に相当する図。
【図１５】従来のエレベーター装置を示す図で、エレベーターのかごの要部斜視図。
【符号の説明】
１　昇降路、　　２　かご、　　５　床、　　１３　エプロン、　　１６　締結具、　　１７　締結具、　　２９　かご床下設置機器、　　３４　第一装着手段（装着手段）、　　３５　第二装着手段（装着手段）、　　４４　レール部（レール）、　　４８　案内溝（レール）、　　４９　可動エプロン（エプロン）、　　５５　案内レール（レール）、　　５７　可動エプロン（エプロン）、
６７　第三装着手段（装着手段）。
【図１】
2004099183.tif 000003
【図２】
2004099183.tif 000004
【図３】
2004099183.tif 000005
【図４】
2004099183.tif 000006
【図５】
2004099183.tif 000007
【図６】
2004099183.tif 000008
【図７】
2004099183.tif 000009
【図８】
2004099183.tif 000010
【図９】
2004099183.tif 000011
【図１０】
2004099183.tif 000012
【図１１】
2004099183.tif 000013
【図１２】
2004099183.tif 000014
【図１３】
2004099183.tif 000015
【図１４】
2004099183.tif 000016
【図１５】
2004099183.tif 000017